(57)【要約】【課題】  従来の自転車は走行時において常にペダルをこぐ足の負荷を軽減させることができないという問題があった。これは走行時において常にペダルをこぐためである。【解決手段】  回転軸１から回転軸１５までの一連の動作で転がり軸１２を端に取り付けた板状の棒１１と溝１４を端に設けたクランク１３を相対させ、転がり軸１２を溝１４に嵌めて溝１４の側面を転がりながら移動する構造にした。これにより一時てこ作用にさせながら回転することができる。【選択図】図１
2011195128.tif 000002
【特許請求の範囲】
【請求項１】
回転力を伝達させるためのスプロケットが固定されている回転軸とスプロケットが固定されている移動回転ピンが二つの物を連携させる揺動リンクの両端に取り付けられ、前記両端のスプロケットに回転力を伝達させるチェーンが掛けられている。さらに揺動リンクを支える支軸と移動回転軸が二つの物を連携させる揺動リンクの両端に取り付けられている。前記移動回転ピンと移動回転軸を一時交互に支点作用にさせるとともに往復移動させるため板状の棒が前記移動回転ピンと移動回転軸に固定され溝の側面を転がりながら移動する転がり軸を端に取り付けた板状の棒が前記移動回転軸に固定されている。さらに軸間の距離を変えながら回転する溝を端に設けたクランクが回転力を伝達させる回転軸に固定され前記転がり軸を端に取り付けた板状の棒と相対させ転がり軸を前記溝を端に設けたクランクの溝に嵌めて溝の側面を転がりながら移動することになるため前記溝を端に設けたクランクが固定されている回転軸から溝に嵌めた前記転がり軸までの軸間の距離を長くさせたり短くさせるとともに一時てこ作用にさせながら回転するようにした駆動倍力装置。
【発明の詳細な説明】
【技術分野】
【０００１】
本発明は、一般自転車等の駆動を補助する駆動補助装置に関する。
【背景技術】
【０００２】
従来の自転車は変速機を取り付けるなどして爽快に走行させる対策を施したものがある。
【先行技術文献】
【特許文献】
【０００３】
【特許文献１】特開２００８−４４５８５号
【発明の概要】
【発明が解決しようとする課題】
【０００４】
以上に述べた従来の自転車は変速機を取り付けるなどして爽快に走行させることはできるが、走行時において常につきまとうペダルをこぐ足の負荷を軽減させることはできないものであった。
本発明はこのような従来の構成が有していた問題を解決しようとするものであり、自転車の駆動力を増大させるとともに後輪に作用させることができ、走行時において常につきまとうペダルをこぐ足の負荷を効果的に軽減させる駆動倍力装置を実現することを目的とするものである。
【課題を解決するための手段】
【０００５】
そして本発明は上記目的を達成するため、回転力を伝達させるためのスプロケットが固定されている回転軸とスプロケットが固定されている移動回転ピンが二つの物を連携させる揺動リンクの両端に取り付けられ、前記両端のスプロケットに回転力を伝達させるチェーンが掛けられている。さらに揺動リンクを支える支軸と移動回転軸が二つの物を連携させる揺動リンクの両端に取り付けられている。前記移動回転ピンと移動回転軸を一時交互に支点作用にさせるとともに往復移動させるため板状の棒が前記移動回転ピンと移動回転軸に固定され溝の側面を転がりながら移動する転がり軸を端に取り付けた板状の棒が前記移動回転軸に固定されている。さらに軸間の距離を変えながら回転する溝を端に設けたクランクが回転力を伝達させる回転軸に固定され前記転がり軸を端に取り付けた板状の棒と相対させ転がり軸を前記溝を端に設けたクランクの溝に嵌めて溝の側面を転がりながら移動することになるため前記溝を端に設けたクランクが固定されている回転軸から溝に嵌めた前記転がり軸までの軸間の距離を長くさせたり短くさせるとともに一時てこ作用にさせながら回転するようにしたものである。
上記課題を解決手段による作用は次の通りである。すなわち転がり軸を端に取り付けた板状の棒が固定されている移動回転軸から短い距離の位置にある転がり軸を相対させてある溝を端に設けたクランクが固定されている回転軸から長い距離の位置にある溝に嵌めて、溝の側面を転がりながら移動することになるため一時てこ作用にさせながら回転することで出力が増大され後輪に作用させることができるとともに走行時において常にペダルをこぐ足の負荷を軽減できるという効果を発揮する。
【発明の効果】
【０００６】
上述したように本発明の駆動倍力装置は走行時において常につきまとうペダルをこぐ足の負荷を軽減できるとともに、駆動力を増大させることができという効果を発揮するものである。
【図面の簡単な説明】
【０００７】
【図１】本発明の実施形態を示す駆動倍力装置の斜視図
【図２】同駆動倍力装置の動作を側面から見た簡略図
【図３】同駆動倍力装置を自転車に実施した例を示す側面図
【図４】同駆動倍力装置の他の実施例１
【図５】同駆動倍力装置の他の実施例２
【図６】同駆動倍力装置の他の実施例３
【図７】同駆動倍力装置の他の実施例４
【図８】同駆動倍力装置の他の実施例５
【図９】同駆動倍力装置の他の実施例６
【図１０】同駆動倍力装置の他の実施例７
【発明を実施するための形態】
【０００８】
以下本発明の実施形態を図１〜図３に基づいて説明する。
図１に示すように回転力を伝達させるためのスプロケット４が固定されている回転軸１とスプロケット５が固定されている移動回転ピン７が二つの物を連携させる揺動リンク２の両端に取り付けられ、前記両端のスプロケット４，５に回転力を伝達させるチェーン３が掛けられている。さらに揺動リンク９を支える支軸１０と移動回転軸８が二つの物を連携させる揺動リンク９の両端に取り付けられている。前記移動回転ピン７と移動回転軸８を一時交互に支点作用にさせるとともに往復移動させるため板状の棒６が前記移動回転ピン７と移動回転軸８に固定され溝１４の側面を転がりながら移動する転がり軸１２を端に取り付けた板状の棒１１が前記移動回転軸８に固定されている。さらに軸間の距離を変えながら回転する溝１４を端に設けたクランク１３が回転力を伝達させる回転軸１５に固定され、前記転がり軸１２を端に取り付けた板状の棒１１と相対させ転がり軸１２を前記溝１４を端に設けたクランク１３の溝１４に嵌めて溝１４の側面を転がりながら移動することになるため前記溝１４を端に設けたクランク１３が固定されている回転軸１５から溝１４に嵌めた前記転がり軸１２までの軸間の距離を長くさせたり短くさせるとともに一時てこ作用にさせながら回転するようできるという効果を発揮する。
【０００９】
以下図１の構成動作を図２のＡから図３で説明する。図２−Ａと図２−Ｅに示すように、転がり軸１２を端に取り付けた板状の棒１１と相対されている溝１４を端に設けたクランク１３が垂直時点では、この時移動回転ピン７は回転軸１５よりも下の位置にあり移動回転ピン７を一時支点作用にさせるとともに移動回転軸８を移動させるため、移動回転ピン７から長い距離の位置にある転がり軸１２を相対されている溝１４を端に設けたクランク１３が固定されている回転軸１５から短い距離の位置にある溝１４に嵌めて溝１４の側面を転がりながら移動するとともに一時てこ作用にさせて回転するため回転軸１５から出る回転力は回転軸１の回転力よりも小さい回転力を出すことができるという効果を発揮することができる。また外部からの回転力で回転軸１５を回転させれば、回転軸１から出る回転力は回転軸１５の回転力よりも大きい回転力を出せることができる。
また図２−Ｂと図２−Ｄと図２−Ｆと図２−Ｈに示すように、転がり軸１２を端に取り付けた板状の棒１１と相対されている溝１４を端に設けたクランク１３が斜め時点では、この時互いがつりあっているので回転軸１と回転軸１５の回転力は同じである。
また図２−Ｃと図２−Ｇに示すように、転がり軸１２を端に取り付けた板状の棒１１と相対されている溝１４を端に設けたクランク１３が水平時点では、この時移動回転ピン７は回転軸１５と同じ位置にあり移動回転軸８を一時支点作用にさせるとともに移動回転ピン７を移動させるため、移動回転軸８から短い距離の位置にある転がり軸１２が相対されている溝１４を端に設けたクランク１３が固定されている回転軸１５から長い距離の位置にある溝１４に嵌めて溝１４の側面を転がりながら移動するとともに一時てこ作用にさせて回転するため、回転軸１５から出る回転力は回転軸１の回転力よりも大きい回転力を出すことができるという効果を発揮することができる。また外部からの回転力で回転軸１５を回転させれば回転軸１から出る回転力は回転軸１５の回転力よりも小さい回転力を出せることができる。
図３に示すように、自転車に本発明を取り付けて作用すると、駆動力が増大するとともに後輪に作用させることができ走行時において常にペダルをこぐ足の負荷を軽減させることができるという効果を発揮する。
以上にように本実施形態によれば倍力効果が得られるものである。
以上本発明の実施形態を説明したが、本発明はその要旨を逸脱しない範囲で種々の設計変更を行うことが可能である。例えば図４から図１０は図１に示した板状の棒６と転がり軸１２を端に取り付けた板状の棒１１と溝１４を端に設けたクランク１３の取り付け場所の変更ができる。また移動回転ピン７にジョイントを直結させることもできる。
【符号の説明】
【００１０】
１  回転軸                    ９  揺動リンク
２  揺動リンク                １０  支軸
３  チェーン                  １１  転がり軸を端に取り付けた板状の棒
４  スプロケット              １２  転がり軸
５  スプロケット              １３  溝を端に設けたクランク
６  板状の棒                  １４  溝
７  移動回転ピン              １５  回転軸
８  移動回転軸
【図１】
2011195128.tif 000003
【図２】
2011195128.tif 000004
【図３】
2011195128.tif 000005
【図４】
2011195128.tif 000006
【図５】
2011195128.tif 000007
【図６】
2011195128.tif 000008
【図７】
2011195128.tif 000009
【図８】
2011195128.tif 000010
【図９】
2011195128.tif 000011
【図１０】
2011195128.tif 000012